(57)【特許請求の範囲】
【請求項１】
靴本体と、
前記靴本体の底面に着脱自在に取り付けられ、フェルトから成る滑り止め層とフェルトよりも硬質な固定層とが一体化されて成る靴底と、
前記固定層を前記靴本体の底面との間で挟持して固定する挟持手段と、
を備え、
前記挟持手段は、
その軸方向の全長にわたって貫通して設けられる刷り割り状の孔を利用して弾性的に縮径可能であるとともに、その縮径状態で前記靴本体および前記靴底に挿通される軸体と、
内孔を有するとともに、前記靴底から突出される前記軸体の端部に対して前記内孔を利用して押し付けられて嵌め込まれることにより、その圧接部を弾性的に前記靴底に押し当てつつ前記軸体を弾性的に引き込む座金と、
から構成されることを特徴とする釣用靴。
【請求項２】
靴本体と、
前記靴本体の底面に着脱自在に取り付けられ、フェルトから成る滑り止め層とフェルトよりも硬質な固定層とが一体化されて成る靴底と、
前記固定層を前記靴本体の底面との間で挟持して固定する挟持手段と、
を備え、
前記挟持手段は、
前記靴本体の底面に一部が埋設されるとともに、取り付け挿入穴を中央に有するプレートと、
前記靴底に一部が埋設されて、その中心にロックピン挿通孔を有するとともに、前記靴本体および前記靴底に挿通された状態で径方向外側に弾性的に拡径可能な軸体を伴うその先端側が前記プレートの前記取り付け挿入穴に挿通される弾性変形可能なロックラバーと、
前記ロックラバーの前記ロックピン挿通孔内に挿通されることにより前記軸体を径方向外側に押し広げて前記ロックラバーを前記プレートに対してロックするロックピンと、
を有することを特徴とする釣用靴。
【請求項３】
前記挟持手段が靴の前端領域に設けられることを特徴とする請求項１または請求項２に記載の釣用靴。
【発明の詳細な説明】
【技術分野】
【０００１】
本発明は、主に魚釣りをする際に使用される釣用靴に関し、特に、靴底の裏面に滑り止め用の靴底が着脱自在に取り付けられて成る釣用靴に関する。
【背景技術】
【０００２】
従来、渓流釣りや磯釣り等に用いられる釣用靴は、滑り難い靴底構造を備えており、例えば特許文献１に開示されるように、靴本体と、該靴本体の底面に着脱可能な滑り止め効果を奏するフェルトソールとから成っている。そして、フェルトソールが擦り減った場合には新しいフェルトソールと交換できるようになっている。
【先行技術文献】
【特許文献】
【０００３】
【特許文献１】特開平１１−９９００４号
【発明の概要】
【発明が解決しようとする課題】
【０００４】
前述した特許文献１の釣用靴は、靴本体の底面とフェルトソールとが面ファスナを介して着脱自在に取り付けられているため、靴本体の底面とフェルトソールとの密着面間に砂（砂利）が入り込むと、面ファスナのフックが潰れて密着力が低下し、フェルトソールが靴本体の底面から剥がれ易くなる。また、最悪の場合には、フェルトソールが靴本体の底面から完全に外れてしまう可能性もある。
【０００５】
本発明は、前記事情に着目してなされたものであり、その目的とするところは、靴本体の底面からのフェルトソールの外れを防止する釣用靴を提供することにある。
【課題を解決するための手段】
【０００６】
前記課題を解決するために、請求項１に記載の釣用靴は、靴本体と、前記靴本体の底面に着脱自在に取り付けられ、フェルトから成る滑り止め層とフェルトよりも硬質な固定層とが一体化されて成る靴底と、前記固定層を前記靴本体の底面との間で挟持して固定する挟持手段とを備え、前記挟持手段は、その軸方向の全長にわたって貫通して設けられる刷り割り状の孔を利用して弾性的に縮径可能であるとともに、その縮径状態で前記靴本体および前記靴底に挿通される軸体と、内孔を有するとともに、前記靴底から突出される前記軸体の端部に対して前記内孔を利用して押し付けられて嵌め込まれることにより、その圧接部を弾性的に前記靴底に押し当てつつ前記軸体を弾性的に引き込む座金と、から構成されることを特徴とする。
また、請求項２に記載の釣用靴は、靴本体と、前記靴本体の底面に着脱自在に取り付けられ、フェルトから成る滑り止め層とフェルトよりも硬質な固定層とが一体化されて成る靴底と、前記固定層を前記靴本体の底面との間で挟持して固定する挟持手段とを備え、前記挟持手段は、前記靴本体の底面に一部が埋設されるとともに、取り付け挿入穴を中央に有するプレートと、前記靴底に一部が埋設されて、その中心にロックピン挿通孔を有するとともに、前記靴本体および前記靴底に挿通された状態で径方向外側に弾性的に拡径可能な軸体を伴うその先端側が前記プレートの前記取り付け挿入穴に挿通される弾性変形可能なロックラバーと、前記ロックラバーの前記ロックピン挿通孔内に挿通されることにより前記軸体を径方向外側に押し広げて前記ロックラバーを前記プレートに対してロックするロックピンとを有することを特徴とする。
【０００７】
請求項１および請求項２に記載の釣用靴によれば、靴底の固定層が挟持手段により靴本体の底面に対して挟持固定されるため、靴本体の底面と靴底との間の隙間に砂利等の異物が入り込んだ場合であっても、靴底が靴本体の底面から外れることを確実に防止できる。また、挟持手段による挟持力により、靴本体の底面と靴底との密着性が強固となり、靴本体の底面と靴底とが面ファスナによって着脱自在に取り付けられている場合には、面ファスナの浮き上がりも防止できる。
【００１６】
また、請求項３に記載の釣用靴は、請求項１または請求項２に記載の釣用靴において、挟持手段が靴の前端領域に設けられることを特徴とする。
【００１７】
この請求項３に記載の釣用靴によれば、請求項１または請求項２に記載の釣用靴と同様の作用効果が得られるとともに、剥がれが生じ易い靴の前端領域を挟持手段によって重点的に補強することにより、靴本体の底面からの靴底の剥がれを効果的に防止できる。なお、ここで言う「前端領域」とは、足裏の母子球と小指球とを結ぶラインよりも指先側の領域のことである。
【発明の効果】
【００１８】
本発明の釣用靴によれば、靴底の固定層が挟持手段により靴本体の底面に対して挟持固定されるため、靴本体の底面からのフェルトソールの外れを防止できる。
を提供できる。
【図面の簡単な説明】
【００１９】
【図１】本発明の一実施形態に係る釣用靴の分解斜視図である。
【図２】図１の釣用靴における靴本体の底面と靴底との取り付け部の要部断面図である。
【図３】靴本体の底面と靴底とを挟持手段によって挟持固定する状態を分解して示す模斜視図である。
【図４】（ａ）は挟持手段を構成する止め部の斜視図、（ｂ）は（ａ）のＡ方向矢視図（平面図）、（ｃ）は（ｂ）の変形例を示す平面図である。
【図５】（ａ）は挟持手段を構成する受け部の第１の変形例の斜視図、（ｂ）は挟持手段を構成する受け部の第２の変形例の斜視図である。
【図６】挟持手段の第２の変形例を示す斜視図である。
【図７】挟持手段の第３の変形例を示す斜視図である。
【図８】挟持手段の第４の変形例を示す要部断面図である。
【図９】挟持手段の第５の変形例を示す要部断面図（ロック前）である。
【図１０】挟持手段の第５の変形例を示す要部断面図（ロック後）である。
【図１１】（ａ）は第５の変形例に係る挟持手段のプレートの平面図、（ｂ）は（ａ）のＡ−Ａ線に沿う断面図である。
【図１２】（ａ）は第５の変形例に係る挟持手段のロックラバーの平面図、（ｂ）は（ａ）のＢ−Ｂ線に沿う断面図である。
【図１３】（ａ）は第５の変形例に係る挟持手段のロックピンの半側断面図、（ｂ）は（ａ）のＣ方向矢視図である。
【図１４】（ａ）は第５の変形例で用いられる治具の半側断面図、（ｂ）は（ａ）のＤ方向矢視図である。
【発明を実施するための形態】
【００２０】
以下、本発明に係る釣用靴の一実施形態について具体的に説明する。  
図１に示すように、本実施形態の釣用靴１は、長靴タイプ（ブーツタイプ）に適用されており、釣り人の足部を覆う靴本体２と、靴本体２の底面に対して着脱自在に取り付け固定される靴底４とを備えて構成される。靴本体２の底面と靴底４との間の着脱自在な取り付けは、特に限定されるものではないが、例えばマジックテープやベルクロ（いずれも登録商標）などの面ファスナ１０Ａ，１０Ｂによって行なわれる。
【００２１】
靴本体２は、例えば、合成ゴム、ウレタン、ＥＶＡ等の合成樹脂で一体形成されており、底面を形成するミッドソール２ａを有する。ミッドソール２ａの表面（靴本体２の底面）には面ファスナ１０Ａが固着して設けられている。
【００２２】
図２に詳しく示されるように、替えソールとしての靴底４は、地面と接触されるフェルトから成る滑り止め層４ｂと、ミッドソール２ａに対向して靴本体２に取り付けられるフェルトよりも硬質な（例えば、ミッドソール２ａの曲げ剛性と同等かそれ以下の合成ゴムから成る）固定層４ａとが一体化されて成り、固定層４ａの表面（ミッドソール２ａと対向される面）には、面ファスナ１０Ａと着脱自在に密着接合される面ファスナ１０Ｂが固着して設けられている。
【００２３】
また、本実施形態の釣用靴１は、固定層４ａをミッドソール２ａ（靴本体２の底面）との間で挟持して固定する挟持手段を更に有する。具体的に、この挟持手段は、特に、足裏の母子球と小指球とを結ぶラインよりも指先側にある該靴１（靴底）の前端領域と、足裏の踵近傍の後端領域とに設けられており（図１参照）、ミッドソール２ａ中に例えばインサート成形によって埋設されるネジ付きの受け部としての固定用ナット１３と、固定層４ａをミッドソール２ａとの間で挟持するように固定用ナット１３に螺合されるネジ付きの止め部としての固定用ボルト１２とを有する。
【００２４】
固定用ナット１３は、図３に明確に示されるように、円板状の頭部１３ａと、該頭部１３ａの略中央部分から延び且つ雌ネジを内周面に有する円筒状の軸部１３ｂと、頭部１３ａの内面から軸部１３ｂに沿って延出するとともに頭部１３ａの径方向に延びる複数の回転抑制部２１とを有しており、例えばステンレスなどの金属、強度の高いプラスチック等によって形成されて、靴本体２（ミッドソール２ａ）を形成する際にその構成材料に埋設されて靴本体２（ミッドソール２ａ）と一体化される（図２参照）。また、このとき、回転抑制部２１が広い面積にわたって前記構成材料と周方向で係止し、ミッドソール２ａに対する固定用ナット１３の回転を抑制する。なお、図３では、固定用ナット１３の構造を分かりするため、固定用ナット１３が単独で示されているが、この固定用ナット１３がミッドソール２ａ中に埋設されていることは言うまでもない。
【００２５】
一方、固定用ボルト１２は、固定層４ａをミッドソール２ａとの間で挟持するための円板状の挟持部１２ａと、該挟持部１２ａの略中央部分から延び且つ雄ネジを外周面に有する軸部１２ｂとを有しており、例えばステンレスなどの金属、強度の高いプラスチック等によって形成される。そして、このような固定用ボルト１２は、滑り止め層４ｂに設けられた大径孔１１と固定層４ａに設けられた小径孔１７とに挿通されることにより、固定用ナット１３に螺合されるようになっている。具体的には、滑り止め層４ｂに設けられた大径孔１１は、固定用ボルト１２を滑り止め層４ｂの表面よりも内側に埋没させることができる深さに形成されており、その底部で固定層４ａを露出させるとともに固定層４ａの小径孔１７に連通している。また、小径孔１７の内径は固定用ナット１３の円筒状の軸部１３ｂの外径と略一致しており、ミッドソール２ａの底面から突出する軸部１３ｂの先端部を受けることができるようになっている。
【００２６】
したがって、靴底４を靴本体２の底面（ミッドソール２ａ）に取り付ける場合には、ミッドソール２ａの底面から突出する固定用ナット１３の軸部１３ｂの先端部を固定層４ａの小径孔１７に嵌め入れて靴底４をミッドソール２ａに対して位置決めした状態で、固定層４ａの小径孔１７を通じて固定用ボルト１２の軸部１２を固定用ナット１３の軸部１３ｂに螺合して、固定用ボルト１２の挟持部１２ａを露出する固定層４ａに対して押し付ける。これにより、ミッドソール２ａと挟持部１２ａとの間で固定層４ａが挟持され、靴底４がミッドソール２ａに対して強固に固定される。この場合、図４の（ｂ）に示されるように、固定層４ａに対して押し付けられる固定用ボルト１２の挟持部１２ａの圧接面部位（裏面）に、ナット１３とボルト１２との間のネジの緩みを防止する凸部１８を設けることが好ましい。図４の（ｂ）では、径方向に延びる４つの凸部１８が周方向に等しい角度間隔を隔てて設けられている。また、そのような凸部は、図４の（ｃ）に示されるように、挟持部１２ａの外周に沿って等間隔で設けられる円柱状の突起１８Ａであっても構わない。
【００２７】
また、固定用ボルト１２の挟持部１２ａには、固定用ボルト１２を固定用ナット１３に対して螺合させるための治具３０の係合部３０ａ，３０ａ（図３参照）が係合できる一対の係合穴１９，１９が設けられていてもよい（図３および図４の（ａ）参照）。更に、本実施形態では、ミッドソール２ａに対する靴底４の前述した取り付け状態を良好に保持するため、図２に示されるように、靴底４を外側から少なくとも部分的に包囲するように靴底４の周縁に沿って下方に延びる延在部２ａ’がミッドソール２ａの周縁部に形成され、それにより、靴底４を受けるための凹部２０が形成されてもよい。
【００２８】
以上説明したように、本実施形態の釣用靴１によれば、靴底４の固定層４ａが挟持手段により靴本体２の底面に対して挟持固定されるため、たとえ靴本体２の底面と靴底４との間の隙間に砂利等の異物が入り込んだ場合であっても、靴底４が靴本体２の底面から外れる（面ファスナ１０Ａ，１０Ｂ同士が外れる）ことを確実に防止できる。特に本実施形態では、挟持手段を構成するボルト１２とナット１３との螺合に伴う締め付け力によって靴底４の固定層１４ａがミッドインソール２ａ（靴本体２の底面）に対して挟持固定され、ボルト１２の挟持部１２ａによって固定層４ａがミッドソール２ａに強固に押し付けられるため、ミッドソール２ａと靴底４との密着性が強固に維持される。そのため、靴底４がミッドソール２ａから外れることを更に確実に防止できる。また、挟持手段１２，１３による挟持力により、靴本体２の底面と靴底４との密着性が強固となり、面ファスナ１０Ａ，１０Ｂの浮き上がりも防止できる。また、本実施形態では、剥がれが生じ易い靴の前端領域を挟持手段によって重点的に補強しているため、ミッドソール２ａからの靴底４の剥がれを効果的に防止できる。
【００２９】
図５は挟持手段を構成する固定用ナットの変形例を示している。図５の（ａ）に示される第１の変形例に係る固定用ナット１３Ａは、回転抑制部として（図３の回転抑制部２１に代えて）、前述したインサート成形時に靴本体２（ミッドソール２ａ）を形成する構成材料が入り込める複数の凹部（貫通孔）２３を頭部１３ａの外周に沿って有する。一方、図５の（ｂ）に示される第２の変形例に係る固定用ナット１３Ｂは、回転抑制部として（図３の回転抑制部２１に代えて）、靴本体２（ミッドソール２ａ）を形成する構成材料中に食い込める複数の切り欠き２５を頭部１３ａの外周に有する。
【００３０】
図６は挟持手段の第２の変形例を示している。この変形例では、雄ネジおよび雌ネジ（ナットおよびボルト）の設け方が前述した実施形態と逆になっている。すなわち、この変形例では、ミッドソール２ａに埋設される受け部が固定用ボルト１３Ｃとして形成され、靴底４の大径孔１１に嵌め込まれる止め部が固定用ナット１２Ａとして形成されている。具体的には、固定用ボルト１３Ｃは、円板状の頭部１３ａと、該頭部１３ａの略中央部分から延びて埋設状態（取り付け状態）で小径孔１７から突出し得る長さに形成されるとともに雄ネジを外周面に有する円筒状の軸部１３ｂ’と、頭部１３ａの内面から軸部１３ｂ’に沿って延出するとともに頭部１３ａの径方向に延びる複数の回転抑制部２１とを有する。一方、固定用ナット１２Ａは、固定層４ａをミッドソール２ａとの間で挟持するための円板状の挟持部１２ａと、該挟持部１２ａの略中央部分に形成され且つ雌ネジを内周面に有するネジ穴１２ｂ’とを有する。したがって、このような構成では、ミッドソール２ａの底面から突出する固定用ボルト１３Ｃの軸部１３ｂ’の先端部を固定層４ａの小径孔１７に嵌め入れて靴底４をミッドソール２ａに対して位置決めした状態で、固定層４ａの小径孔１７から突出する固定用ボルト１３Ｃの軸部１３ｂ’に対して固定用ナット１２Ａを螺合して、固定用ナット１２Ａの挟持部１２ａを露出する固定層４ａに対して押し付ける。これにより、ミッドソール２ａと挟持部１２ａとの間で固定層４ａが挟持され、靴底４がミッドソール２ａに対して強固に固定される。
【００３１】
図７は挟持手段の第３の変形例を示している。本変形例の挟持手段は、靴本体２の底面に取り付けられる板状部材４７と、靴底４を貫通して延びる板状部材４７と係止することにより固定層４ａを靴本体２に対して挟持固定する例えば矩形状の固定部材４５とを有する。具体的には、板状部材４７は、矩形断面の長尺部材として形成されており、これと一体を成す例えば矩形状の取り付け部４８をミッドソール２ａ中に埋設することによりミッドソール２ａに対して固定され、ミッドソール２ａの底面から延出するようになっている。また、板状部材４７には、その長手方向に沿って所定の間隔で多数の抜け止め用の係止突起４９が形成されている。これらの係止突起４９は、固定部材４５の係止孔４６に挿入される際にその楔状の係止端が弾性変形し、係止孔４６から抜け出る際に元の形状に弾性的に復元することにより係止孔４６の端縁に抜け止め状態で係止するようになっている。また、靴底４の固定層４ａには板状部材４７が挿通できる矩形状の小孔４１が形成されるとともに、靴底４の滑り止め層４ｂには固定部材４５を滑り止め層４ｂの表面よりも内側に埋没させることができる矩形状の大孔４２が形成されており、大孔４２はその底部で固定層４ａを露出させるとともに固定層４ａの小径孔４１に連通している。
【００３２】
したがって、このような構成において、靴底４を靴本体２の底面（ミッドソール２ａ）に取り付ける場合には、ミッドソール２ａの底面から突出する板状部材４７を靴底４の固定層４ａの小孔４１および保持プレート４３の孔４４に通した状態で、更に、露出する固定層４ａに対して固定部材４５を押し付けながら固定部材４５の係止孔４６に板状部材４７を通していく。そして、十分な押し付け状態が得られる位置で板状部材４７の係止突起４９を固定部材４５の係止孔４６に係止させる。これにより、ミッドソール２ａと固定部材４５との間で固定層４ａが挟持され、靴底４がミッドソール２ａに対して強固に固定される。なお、このように取り付けられた状態では、固定部材４５から突出する余分な板状部材４７がカットされる。
【００３３】
このように、本変形例の釣用靴によれば、靴本体２の底面に取り付けられる板状部材４７と固定部材４５との係止に伴う引張力によって靴底４の固定層４ａが靴本体２の底面（ミッドインソール２ａ）に対して挟持固定されるため、靴本体２の底面と靴底４との密着性が強固に維持される。そのため、靴底４が靴本体２の底面から外れることを更に確実に防止できる。
【００３４】
図８は挟持手段の第４の変形例を示している。図示のように、本変形例の挟持手段は、靴本体２に埋没されることなく固定される受け部としての軸体５２と、止め部としての金属座金６０とから構成される。軸体５２は、靴本体２の底部２ｂに設けられた凹溝５０の内側に埋没するように配置されて底部２ｂに係止固定される皿状の頭部５２ａと、靴本体２の底部２ｂおよびミッドインソール２ａに形成された貫通孔７０，８０に挿通される軸部５２ｂとを有しており、その軸方向の全長にわたって貫通して設けられる刷り割り状の孔５３を利用して弾性的に縮径されることにより貫通孔７０，８０に挿通される。また、金属座金６０は、その内孔６０ａを利用して、靴底４の固定層４ａの小径孔１７から突出される軸部５２ｂの端部に押し付けられて嵌め込まれることにより、その圧接部６０ｂを弾性的に固定層４ａに押し当てつつ、軸部５２ｂを大径孔１１内に弾性的に引っ張るようになっている。そして、金属座金６０は、軸部５２ｂを大径孔１１内に弾性的に十分に引き込んだ状態で、その圧接部６０ｂがミッドソール２ａとの間で固定層４ａを挟持し、靴底４をミッドソール２ａに対して強固に固定する。
【００３５】
図９〜図１４は挟持手段の第５の変形例を示している。図示のように、本変形例の挟持手段は、第４の変形例と同様にネジを伴うことなく挟持できる（受け部と止め部とが弾性的に係合する）構成を特徴としており、靴本体２の底面（ミッドソール２ａ）に埋設される受け部としてのプレート９０と、靴底４に予め埋設されて固定層４ａをミッドソール２ａとの間で挟持する止め部としてのロックラバー８０とを有する。そして、後述するように、ロックラバー８０は、これに挿入されるロックピン１００と協働してプレート９０に結合することにより靴底４を靴本体２に対して強固に固定する。
【００３６】
具体的に、本変形例において、受け部としてのプレート９０は、図１１に明確に示されるように、中央に楕円形の取り付け挿入穴９０ｃを有する円形のベース部９０ｂと、該ベース部９０ｂの外周縁から垂直に立ち上がって径方向外側に延びる環状のフランジ部９０ａとによって段付きリングとして形成されている。また、このプレート９０は、そのベース部９０ｂがミッドソール２ａの貫通孔７０内に露出して位置されるようにミッドソール２ａ中に例えばインサート成形によって埋設され、特に本変形例では、インサート成形時にミッドソール２ａを形成する構成材料が入り込める複数の貫通孔９０ｄおよび切り欠き９０ｅをフランジ部９０ａの外周に沿って設けている。
【００３７】
一方、止め部としてのロックラバー８０は、例えばゴム等の弾性変形可能な樹脂によって形成されており、靴底４に例えばインサート成形によって埋設されて一体化される。具体的には、ロックラバー８０は、図１２に明確に示されるように、靴底４の固定層４ａと滑り止め層４ｂとの間に埋設される（図９および図１０参照）皿状のフランジ部８０ａと、該フランジ部８０ａが埋設された状態で固定層４ａの貫通孔７９に挿通されて位置される（図９および図１０参照）円筒状の軸部８０ｂとを有する。この場合、軸部８０ｂの先端は、固定層４ａの表面から突出して靴底４の外側に露出される。
【００３８】
なお、本変形例において、靴底４は、前述した実施形態および変形例と同様、地面と接触されるフェルトから成る滑り止め層４ｂと、ミッドソール２ａに対向して靴本体２に取り付けられるフェルトよりも硬質な固定層４ａとが一体化されて成るが、固定層４ａと滑り止め層４ｂとの間および固定層４ａと面ファスナ１０Ｂとの間に接着層７２，７４を有しており（この積層構造は前述した実施形態および変形例においても適用できる）、固定層４ａと滑り止め層４ｂとの間の接着層７４中にロックラバー８０のフランジ部８０ａが埋設される。そして、フランジ部８０ａには、接着層７４を形成する構成材料（例えばゴム）が入り込める複数の切り欠き８０ｇが外周に沿って設けられる。また、本変形例では、固定層４ａがフェルトから形成されていてもよい。
【００３９】
また、軸部８０ｂは、その中心にロックピン挿通孔８０ｃを有しており、ロックピン挿通孔８０ｃを外側から取り囲む３つの軸体８０ｄ，８０ｄ，８０ｄによって構成される。すなわち、軸部８０ｄは、スリット８２により周方向にほぼ３等分されて断面が略扇形の３つの軸体８０ｄ，８０ｄ，８０ｄに分割されており、スリット８２の存在により固定層４ａの表面から突出するその先端側が径方向外側に放射状に拡径（弾性変形）できるようになっている。なお、ロックピン挿通孔８０ｃは軸部８０ｂの先端開口部８０ｆおよびフランジ部８０ａの底面でそれぞれ開口しており、ロックピン挿通孔８０ｃと先端開口部８０ｆとの間の軸部８０ｂの内面には、ロックピン挿通孔８０ｃに挿通されるロックピン１００が軸体８０ｄ，８０ｄ，８０ｄの先端側を径方向外側に押し広げて先端開口部８０ｆから外側に突出するのを促す（案内する）ための先細りテーパ面８０ｅが形成されている。
【００４０】
また、ロックラバー８０のロックピン挿通孔８０ｃに挿通されるロックピン１００は、図１３に明確に示されるように、断面が円形の軸部１００ｂから成り、軸部１００ｂの後端には図１４に示される治具１５０の係合溝１５２と係合可能な略楕円形状の係合突起１００ｄが設けられる。また、軸部１００ｂには、係合突起１００ｄの近傍に、ロックピン１００がロックラバー８０のロックピン挿通孔８０ｃに挿通されてロックされるときにロックラバー８０のフランジ部８０ａの底面に圧接するフランジ状の圧接部１００ａが設けられる。更に、軸部１００ｂの先端にはフランジ状の抜け止め部１００ｃが形成されている。
【００４１】
したがって、上記構成において靴底４を靴本体２の底面（ミッドソール２ａ）に取り付ける場合には、靴底４の表面から突出するロックラバー８０の軸部８０ｂの先端側をミッドソール２ａの貫通孔７０内に差し入れてこの貫通孔７０に位置されるプレート９０の取り付け挿入穴９０ｃに挿入する。そして、その状態から、ロックラバー８０の軸部８０ｂの先端側を取り付け挿入穴９０ｃを通じてプレート９０の上側に所定量突出させると、ミッドソール２ａの表面（靴本体２の底面）の面ファスナ１０Ａと固定層４ａの表面（ミッドソール２ａと対向される面）の面ファスナ１０Ｂとが適正な位置で密着接合される。その後、今度は、治具１５０を用いて（治具１５０の係合溝１５２をロックピン１００の係合突起１００ｄと係合させた状態で）ロックラバー８０のロックピン挿通孔８０ｃにロックピン１００を挿通すると、挿通されたロックピン１００は、ロックピン挿通孔８０ｃの先細りテーパ面８０ｅの案内によって先端開口部８０ｆへ向けて押し進んで、プレート９０の上側に突出したロックラバー８０の軸体８０ｄ，８０ｄ，８０ｄの先端側を径方向外側に押し広げ（軸体８０ｄ，８０ｄ，８０ｄの先端側がプレート９０のベース部９０ｂ上に係止する）、ロックラバー８０をプレート９０に対してロックする。そして、ロックピン１００の抜け止め部１００ｃが先端開口部８０ｆから外側に突出して、ロックピン１００がロックラバー８０に対して抜け止めされた状態で、前記ロック状態が保持される。これにより、靴底４がミッドソール２ａに対して強固に固定されることになる。その状態が図１０に示されている。
【００４２】
以上のように、本変形例では、第４の変形例と同様にネジを用いることなく靴底４を靴本体２に対して固定できるため、固定作業が非常に簡単である。
【００４３】
以上、本発明の実施形態について説明したが、本発明は、前述した実施形態に限定されず、その要旨を逸脱しない範囲で種々変形して実施できる。例えば、前述した実施形態では、釣用靴として、ブーツタイプを例示したが、短靴タイプ（運動靴タイプ）に適用しても良い。すなわち、靴本体１の形状、素材については、適宜変形することが可能である。また、挟持手段の構造や挟持形態も前述した実施形態に限定されず任意である。また、挟持手段の配置位置は、靴の前端領域および後端領域に限らず、また、挟持手段の数も任意である。更に、前述した実施形態では、固定用ナット１３の軸部１３ｂがミッドソール２ａの底面から突出していたが、突出していなくてもよい。
【符号の説明】
【００４４】
１  釣用靴
２  靴本体
４  靴底
４ａ  滑り止め層
４ｂ  固定層
１２  固定用ボルト（挟持手段、止め部）
１３  固定用ナット（挟持手段、受け部）
４５  固定部材
４７  板状部材
５２  軸体（挟持手段、受け部）
６０  金属座金（挟持手段、止め部）
８０  ロックラバー（挟持手段、止め部）
９０  プレート（挟持手段、受け部）
【図１】
0005415485.tif 000002
【図２】
0005415485.tif 000003
【図３】
0005415485.tif 000004
【図４】
0005415485.tif 000005
【図５】
0005415485.tif 000006
【図６】
0005415485.tif 000007
【図７】
0005415485.tif 000008
【図８】
0005415485.tif 000009
【図９】
0005415485.tif 000010
【図１０】
0005415485.tif 000011
【図１１】
0005415485.tif 000012
【図１２】
0005415485.tif 000013
【図１３】
0005415485.tif 000014
【図１４】
0005415485.tif 000015